(57)【特許請求の範囲】
【請求項１】
水槽本体と循環手段とを有し、
前記水槽本体は内側区画と外側区画とを有し、前記外側区画は前記内側区画を包囲しており、前記水槽本体は円筒容器と仕切板と内筒と吸引管とを有し、前記円筒容器は透明な側面を有し、前記仕切板は複数の通水孔を有して前記円筒容器の内部を底部区画と上部区画とに分割するよう前記円筒容器の内部に配置され、前記内筒は透明な側面を有し、前記円筒容器の内部で前記仕切板の上部に前記円筒容器と同一中心線で配置され、前記吸引管は前記内筒の内部に前記円筒容器と同一中心線で配置され、前記仕切板を貫通して前記底部区画と連通し、前記ポンプにより内部の水を吸引されるよう設けられ、前記内側区画は前記上部区画の前記内筒と前記吸引管との間に形成されて前記通水孔と連通し、前記外側区画は前記上部区画の前記円筒容器と前記内筒との間に形成されて前記通水孔と連通しており、
前記循環手段はポンプとノズルとを有し、前記ポンプは、前記内側区画および前記外側区画の内部の水を吸引し、その吸引した水を前記ノズルを介して各区画に放水可能に設けられ、前記ノズルは、各区画ごとに配置された複数の放水口を有し、各放水口は放水角度をそれぞれ変更可能であり、前記ノズルは各放水口からの放水量をそれぞれ変更可能であり、各放水口が前記内側区画および前記外側区画の上方に配置されていることを
特徴とする水流型水槽。
【発明の詳細な説明】
【技術分野】
【０００１】
本発明は、水流型水槽に関する。
【背景技術】
【０００２】
従来、中心線に対して同心円状に設けられた２つの水槽と、各水槽の水を循環させるよう、各水槽に対応して設けられた２つのポンプとを有する観賞用水槽がある（例えば、特許文献１参照）。
【先行技術文献】
【特許文献】
【０００３】
【特許文献１】実公平８−８６０７号公報
【発明の概要】
【発明が解決しようとする課題】
【０００４】
特許文献１に記載の観賞用水槽は、１つの観賞用水槽で異種の魚等を飼育することはできるが、各区画（水槽）に水流を発生させることはできず、ましてや、各区画（水槽）に、それぞれ飼育している魚等の種類に応じた水流を発生させることはできないという課題があった。
【０００５】
本発明は、このような課題に着目してなされたもので、飼育する魚等の種類に応じて、各区画に所望の水流を発生させることができる水流型水槽を提供することを目的とする。
【課題を解決するための手段】
【０００６】
上記目的を達成するために、本発明に係る水流型水槽は、水槽本体と循環手段とを有し、前記水槽本体は内側区画と外側区画とを有し、前記外側区画は前記内側区画を包囲しており、前記水槽本体は円筒容器と仕切板と内筒と吸引管とを有し、前記円筒容器は透明な側面を有し、前記仕切板は複数の通水孔を有して前記円筒容器の内部を底部区画と上部区画とに分割するよう前記円筒容器の内部に配置され、前記内筒は透明な側面を有し、前記円筒容器の内部で前記仕切板の上部に前記円筒容器と同一中心線で配置され、前記吸引管は前記内筒の内部に前記円筒容器と同一中心線で配置され、前記仕切板を貫通して前記底部区画と連通し、前記ポンプにより内部の水を吸引されるよう設けられ、前記内側区画は前記上部区画の前記内筒と前記吸引管との間に形成されて前記通水孔と連通し、前記外側区画は前記上部区画の前記円筒容器と前記内筒との間に形成されて前記通水孔と連通しており、前記循環手段はポンプとノズルとを有し、前記ポンプは、前記内側区画および前記外側区画の内部の水を吸引し、その吸引した水を前記ノズルを介して各区画に放水可能に設けられ、前記ノズルは、各区画ごとに配置された複数の放水口を有し、各放水口は放水角度をそれぞれ変更可能であり、前記ノズルは各放水口からの放水量をそれぞれ変更可能であり、各放水口が前記内側区画および前記外側区画の上方に配置されていることを特徴とする。
【０００７】
本発明に係る水流型水槽は、水槽本体の内側区画および外側区画に水を入れ、主に各区画に異種の魚等を入れて飼育するのに使用される。内側区画および外側区画で飼育される魚等は、同時に眺めることができる。本発明に係る水流型水槽は、循環手段により、各区画に所望の水流を別々に起こすことができる。これにより、内側区画と外側区画とに異なる種類の魚等を入れ、それぞれの魚等の飼育に最適な水流環境を整えることができる。
【０００８】
本発明に係る水流型水槽は、例えば、ザリガニを内側区画に入れ、メダカを外側区画に入れ、またはその逆に入れて飼育することができる。これにより、異種による捕食を回避することができる。各区画には、それぞれ異種の魚等を入れるほか、成長度合いが異なる同種の魚等や、オスとメスに分けた同種の魚等を入れてもよい。これにより、同じ環境で親と卵・稚魚の成長を観察することができる。また、身体の大小による共食いや、縄張りによる強弱の争いを回避することができる。内側区画および外側区画の数は、２つのほか、３つ以上であってもよい。本発明に係る水流型水槽は、各区画が同心円状に設けられていてもよく、各区画の中心線がずれていてもよい。また、各区画の境界が円形ではなく、楕円形状や多角形形状、より複雑な凹凸を有する形状等を成していてもよい。
【０００９】
本発明に係る水流型水槽で、前記循環手段はポンプとノズルとを有し、前記ポンプは、前記内側区画および前記外側区画の内部の水を吸引し、その吸引した水を前記ノズルを介して各区画に放水可能に設けられ、前記ノズルは、各区画ごとに配置された複数の放水口を有し、各放水口は放水角度をそれぞれ変更可能である。このため、各放水口からの放水により、各区画に所望の流れを発生させることができる。
【００１０】
前記ノズルは、各放水口からの放水量をそれぞれ変更可能である。このため、各放水口からの放水量を変えることにより、各区画における水の流速を調整することができる。
【００１２】
本発明に係る水流型水槽によれば、飼育する魚等の種類に応じて内側区画および外側区画に所望の水流を発生させることができ、特に吸引管を中心として内側区画と外側区画とで同一方向または反対方向に回転する水流を発生させ、魚等の内側区画と外側区画とで泳ぐ向きが同一方向で揃った様子またはそれぞれ反対方向で揃った様子を眺めることができる。
【発明の効果】
【００１３】
本発明によれば、飼育する魚等の種類に応じて、各区画に所望の水流を発生させることができる水流型水槽を提供することができる。
【図面の簡単な説明】
【００１４】
【図１】本発明の実施の形態の水流型水槽を示す縦断面図である。
【図２】図１に示す水流型水槽の、蓋を外した状態の平面図である。
【図３】図１に示す水流型水槽の、ノズルを示す（ａ）斜視図、（ｂ）側面図である。
【発明を実施するための形態】
【００１５】
以下、図面に基づき、本発明の実施の形態について説明する。
図１乃至図３は、本発明の実施の形態の水流型水槽を示している。
図１および図２に示すように、水流型水槽１０は、観賞魚用の水槽であって、水槽本体１１と循環手段１２と蓋１３とを有している。
【００１６】
水槽本体１１は、円筒容器２０と仕切板２１と吸引管２２と内筒２３とを有している。円筒容器２０は、円筒状を成し、透明な側面を有し、上部が開口している。仕切板２１は、厚さ方向に貫通する多数の通水孔２１ａを全体に有している。仕切板２１は、円筒容器２０の内部を底部区画２４とそれより上方の上部区画２５とに分割するよう、円筒容器２０の内側下部に着脱可能に取り付けられている。
【００１７】
吸引管２２は、細長い円筒状を成し、全体が透明であって、円筒容器２０と同一中心線で配置されている。吸引管２２は、仕切板２１の中心を貫通して底部区画２４に連通し、円筒容器２０と同じ高さまで伸びている。吸引管２２は、下部が仕切板２１に着脱可能に取り付けられている。内筒２３は、円筒状を成し、全体が透明であって、吸引管２２の外径より大きく、円筒容器２０の内径より小さい径を有している。内筒２３は、円筒容器２０の内部で円筒容器２０と同一中心線で仕切板２１の上部に配置され、円筒容器２０と同じ高さまで伸びている。内筒２３は、仕切板２１に着脱可能に取り付けられている。吸引管２２は、内筒２３の内部に設けられている。
【００１８】
これにより、水槽本体１１は、上部区画２５が、吸引管２２と内筒２３との間の内側区画２５ａと、円筒容器２０と内筒２３との間の外側区画２５ｂとに分割されている。吸引管２２および各区画２５ａ，２５ｂは、円筒容器２０の中心線から外側に、吸引管２２、内側区画２５ａ、外側区画２５ｂの順で断面が同心円状を成すよう配置され、外側区画２５ｂが内側区画２５ａの周囲を包囲している。各区画２５ａ，２５ｂは、仕切板２１の通水孔２１ａを通して底部区画２４に連通している。
【００１９】
循環手段１２は、ポンプ２６とノズル２７とを有している。ポンプ２６は、吸引管２２の上部に配置され、吸引管２２の内部の水を吸引し、吸引管２２を通して底部区画２４の水を吸引することにより、通水孔２１ａを通して各区画２５ａ，２５ｂの内部の水を吸引するようになっている。ノズル２７は、ポンプ２６の側面に取り付けられ、ポンプ２６から各区画２５ａ，２５ｂの上方に伸びるよう配置されている。ノズル２７は、複数の放水口２７ａ，２７ｂを有している。放水口２７ａ，２７ｂは、ノズル２７の伸びる方向に対して垂直方向に設けられている。各放水口２７ａ，２７ｂは、各区画２５ａ，２５ｂごとに設けられ、各区画の上方に配置されている。ノズル２７は、ポンプ２６が吸引した水を各放水口２７ａ，２７ｂから各区画２５ａ，２５ｂに放水し、各区画の内部に別々に水流を起こせるようになっている。
【００２０】
図３に示すように、ノズル２７は、放水口２７ａを有する部分２８ａと、放水口２７ｂを有する部分２８ｂとが、ノズル２７の長さ方向の中心線を中心として回転可能に設けられており、各放水口２７ａ，２７ｂの放水角度を別々に変更可能になっている。ノズル２７は、図３（ｂ）に破線で示すように、放水口２７ａ，２７ｂが真下から所定の角度範囲で回転し、放水角度を変更可能になっている。このため、図１および図２に示すように、ノズル２７は、各放水口２７ａ，２７ｂからの放水角度を、円筒容器２０の中心線を中心として、時計回り方向の角度と反時計回り方向の角度との間で変更可能になっている。
【００２１】
蓋１３は、ポンプ２６の部分を除いて、水槽本体１１の上部の開口を塞ぐよう、水槽本体１１に着脱可能に取り付けられている。蓋１３は、ノズル２７の各放水口２７ａ，２７ｂから放水された水が各区画２５ａ，２５ｂに入るよう、各放水口２７ａ，２７ｂの下方にそれぞれ放水孔１３ａ，１３ｂを有している。
【００２２】
次に、作用について説明する。
水流型水槽１０は、水槽本体１１の内側区画２５ａおよび外側区画２５ｂに水を入れ、主に各区画２５ａ，２５ｂに異種の魚等を入れて飼育するのに使用される。内側区画２５ａおよび外側区画２５ｂで飼育される魚等は、同時に眺めることができる。水流型水槽１０は、ポンプ２６を稼働させることにより、各区画２５ａ，２５ｂの水を、通水孔２１ａ、底部区画２４、吸引管２２、ポンプ２６、ノズル２７、各放水口２７ａ，２７ｂ、各放水孔１３ａ，１３ｂを通して、再び各区画２５ａ，２５ｂへと循環させることができる。
【００２３】
ノズル２７から各区画２５ａ，２５ｂへ放水するとき、各放水口２７ａ，２７ｂからの放水角度を真下から変えることにより、各区画２５ａ，２５ｂに円筒容器２０の中心線を中心とした回転する流れを発生させることができる。また、各放水口２７ａ，２７ｂを回転させて放水角度を変えることにより、各区画２５ａ，２５ｂにおける水の流速を調整したり、流れの向きを変えたりすることができる。
【００２４】
このように、水流型水槽１０は、循環手段１２により、各区画２５ａ，２５ｂの内部の水をそれぞれ所望の流速で、円筒容器２０の中心線を中心として回転可能であり、飼育する魚等の種類に応じて、各区画２５ａ，２５ｂに所望の水流を別々に起こすことができる。これにより、飼育する魚等の種類に応じて、飼育に最適な水流環境を整えることができる。
また、飼育する魚等の種類に応じて内側区画２５ａと外側区画２５ｂとで同一方向または反対方向に回転する水流を発生させ、魚等の内側区画２５ａと外側区画２５ｂとで泳ぐ向きが同一方向で揃った様子またはそれぞれ反対方向で揃った様子を眺めて楽しむことができる。
【００２５】
水流型水槽１０は、異なる種類の魚等、例えばザリガニやメダカを別々の区画２５ａ，２５ｂに入れて飼育することにより、異種による捕食を回避することができる。また、各区画２５ａ，２５ｂには、それぞれ異種の魚等に限らず、成長度合いが異なる同種の魚等や、オスとメスに分けた同種の魚等を入れてもよい。これにより、同じ環境で親と卵・稚魚の成長を観察することができる。また、身体の大小による共食いや、縄張りによる強弱の争いを回避することができる。水流型水槽１０は、淡水魚、海水魚、熱帯魚、エビ、その他の魚類やカメなどの動物の飼育用のほか、水草観賞用に用いられてもよい。
【００２６】
水流型水槽１０は、吸引管２２やポンプ２６の内部、底部区画２４など、水の循環経路の途中に、循環する水を濾過するための濾過手段を有していることが好ましい。また、底部区画２４などに温水ヒーターを設けてもよい。また、ノズル２７が、各放水口２７ａ，２７ｂからの放水量をそれぞれ変更可能であってもよい。この場合、各放水口２７ａ，２７ｂからの放水量を変えることにより、各区画２５ａ，２５ｂにおける水の流速を調整することができる。吸引管２２の内部には、ポンプ２６の吸水を妨げない範囲で、通水孔２１ａの径より大きな、水流で踊る飾りを収納してもよい。また、底部区画２４には、通水孔２１ａから内側区画２５ａおよび外側区画２５ｂを照らす防水性照明装置や、吸引管２２の内部を照らす防水性照明装置を設けてもよい。
【符号の説明】
【００２７】
１０  水流型水槽
１１  水槽本体
２０  円筒容器
２１  仕切板
２１ａ  通水孔
２２  吸引管
２３  内筒
２４  底部区画
２５  上部区画
２５ａ  内側区画
２５ｂ  外側区画
１２  循環手段
２６  ポンプ
２７  ノズル
２７ａ，２７ｂ  放水口
１３  蓋
１３ａ，１３ｂ  放水孔
【要約】
【課題】飼育する魚等の種類に応じて、各区画に所望の水流を発生させることができる水流型水槽を提供する。
【解決手段】水槽本体１１が、内側区画２５ａと外側区画２５ｂとを有している。各区画２５ａ，２５ｂは、外側区画２５ｂが内側区画２５ａの周囲を包囲している。ポンプ２６が、各区画２５ａ，２５ｂの内部の水を吸引し、その吸引した水をノズル２７を介して各区画２５ａ，２５ｂに放水可能に設けられている。ノズル２７は、各区画２５ａ，２５ｂごとに配置された複数の放水口２７ａ，２７ｂを有している。ノズル２７は、各放水口２７ａ，２７ｂの放水角度をそれぞれ変更可能である。
【選択図】図１【図１】
0005574353.tif 000002
【図２】
0005574353.tif 000003
【図３】
0005574353.tif 000004